(57)【要約】【課題】  電子書籍を片手で挟み持つ力を弱めることなく、頁更新操作を容易に行うことができるようにする。【解決手段】  文章データを頁単位に表示する平板状の表示装置５、６を収納する筐体２、３と、筐体２、３を連結するヒンジ部分に設けられたジョグダイヤル２３と、ジョグダイヤル２３が所定位置まで回動されたことを検出したとき検出信号を出力する検出信号出力手段と、この検出信号出力手段から前記検出信号が出力されたとき表示装置５、６に表示する文章データの頁更新を行う制御手段とを備える。ジョグダイヤル２３を片手で回動させるだけで頁更新が行われるため、電子書籍を持つ力を弱めることなく、頁更新操作を行うことができる。【選択図】  図５
2005242436.tif 000002
【特許請求の範囲】
【請求項１】
文章データを頁単位に表示する平板状の表示装置を収納する筐体と、前記筐体の一部に設けられたジョグダイヤルと、前記ジョグダイヤルが所定位置まで回動されたことを検出したとき検出信号を出力する検出信号出力手段と、前記検出信号出力手段から前記検出信号が出力されたとき前記表示装置に表示する文章データの頁更新を行う制御手段とを備えることを特徴とする電子書籍。
【請求項２】
前記表示装置を２面備え、各面の表示装置を夫々収納する筐体をヒンジにより開閉可能に連結して折り畳み型としたことを特徴とする請求項１に記載の電子書籍。
【請求項３】
前記ヒンジの部分に前記ジョグダイヤルを配置したことを特徴とする請求項２に記載の電子書籍。
【請求項４】
前記検出信号出力手段は前記ジョグダイヤルの時計方向の回動と反時計方向の回動を検出し、前記制御手段は前記時計方向の所定位置までの回動が前記検出信号出力手段で検出されたとき頁を先に進める更新処理を行い前記反時計方向の所定位置までの回動が前記検出信号出力手段で検出されたとき頁を前に戻す更新処理を行うことを特徴とする請求項１乃至請求項３のいずれかに記載の電子書籍。
【発明の詳細な説明】
【技術分野】
【０００１】
本発明は電子書籍に係り、特に、頁更新操作を片手で容易に行うことができる電子書籍に関する。
【背景技術】
【０００２】
記憶型液晶表示装置を搭載した電子書籍（電子ブック）は、筐体に設けられている入力キーを所定操作することで、メモリ内に格納されている書籍の文章データのうち１頁分あるいは２頁分を読み出して記憶型液晶表示装置に表示する。この電子書籍では、その頁の表示データは消えずに残り、ユーザはその文章を読むことができる。
【０００３】
次に、入力キーから、頁を先に進める指示を入力すると、次の１頁分あるいは２頁分の文章データがメモリから読み出されて表示される。
【０００４】
この様に、電子書籍における主な操作は頁更新操作であり、このため、電子書籍の筐体には、少なくとも、頁を先に進めるキーと、頁を前に戻すキーが設けられている（特許文献１参照）。
【０００５】
【特許文献１】特開平２００１―２５５９７７号公報
【発明の開示】
【発明が解決しようとする課題】
【０００６】
電子書籍を持ち歩き、例えば電車の吊革につかまりながら文章データを読む場合には、片手の親指と人差し指との間に電子書籍を挟み持つことになる。そして、頁更新操作を行う場合には、親指を少しずらして、頁を先に進めるキーあるいは頁を前に戻すキーのいずれかを押すことになる。この頁更新操作を行うとき、電子書籍を持つ親指を電子書籍から若干浮かす必要があり、このため、電子書籍を挟み持つ力が弱くなり、電子書籍を落としてしまう虞が生じる。
【０００７】
本発明の目的は、電子書籍を片手で挟み持つ力を弱めることなく、頁更新操作を容易に行うことができる電子書籍を提供することにある。
【課題を解決するための手段】
【０００８】
本発明の電子書籍は、文章データを頁単位に表示する平板状の表示装置を収納する筐体と、前記筐体の一部に設けられたジョグダイヤルと、前記ジョグダイヤルが所定位置まで回動されたことを検出したとき検出信号を出力する検出信号出力手段と、前記検出信号出力手段から前記検出信号が出力されたとき前記表示装置に表示する文章データの頁更新を行う制御手段とを備えることを特徴とする。
【０００９】
この構成により、親指による回動操作によつて容易にジョグダイヤルから頁更新指示を入力できるため、片手で持った電子書籍の頁更新操作が容易となる。
【００１０】
本発明の電子書籍では、前記表示装置を２面備え、各面の表示装置を夫々収納する筐体をヒンジにより開閉可能に連結して折り畳み型としたことを特徴とする。
【００１１】
この構成により、２頁分の文章データを読むことができ、しかも、折り畳んで仕舞った場合には表示画面が隠れるため表示画面の保護を図ることができる。
【００１２】
本発明の電子書籍で、前記ヒンジの部分に前記ジョグダイヤルを配置したことを特徴とする。
【００１３】
この構成により、折畳型の電子書籍を開いて片手で持ったとき、丁度ジョグダイヤル部分に親指が来るようになり、操作が更に容易となる。
【００１４】
本発明の電子書籍の前記検出信号出力手段は前記ジョグダイヤルの時計方向の回動と反時計方向の回動を検出し、前記制御手段は前記時計方向の所定位置までの回動が前記検出信号出力手段で検出されたとき頁を先に進める更新処理を行い前記反時計方向の所定位置までの回動が前記検出信号出力手段で検出されたとき頁を前に戻す更新処理を行うことを特徴とする。
【００１５】
この構成により、頁を先に進める操作と頁を前に戻す操作を行う位置が同じとなり、ジョグダイヤルを回動させる方向のみ違えれば良くなるため、操作が容易となる。
【発明の効果】
【００１６】
本発明によれば、親指を載せたジョグダイヤルをその位置で若干回動させるだけで、頁更新操作ができるため、頁更新操作が容易となり、しかも、電子書籍を落とす虞がなくなる。
【発明を実施するための最良の形態】
【００１７】
以下、本発明の一実施形態について、図面を参照して説明する。
【００１８】
図１は、本発明の一実施形態に係る折畳型電子書籍の正面図であり、１８０°開いた状態を示している。この電子書籍１は、３つの主要筐体で構成され、矩形平板状の右側本体部２と、矩形平板状の左側本体部３と、両者間に設けられる円筒状の電池ケース４とを備える。
【００１９】
右側本体部２と左側本体部３には、夫々、薄型表示装置たとえば記憶型液晶装置５、６が搭載され、右側本体部２の下辺部には４つの操作ボタン７、８、９、１０が設けられ、左側本体部３の左下隅には１個の操作ボタン１１が設けられている。
【００２０】
左側本体部３の左下隅に設けられた操作ボタン１１は、頁を先に進めるキーであり、右側本体部２の右下隅に設けられた操作ボタン１０は、頁を前に戻すキーである。これらの操作ボタン１０、１１は、この電子書籍１を両手で開いて読んでいるときの頁更新操作を容易にするためのものである。
【００２１】
右側本体部２の左辺には、上下に離間する２つのヒンジ部１２、１３が突設されており、左側本体部３の右辺にも、上下に離間する２つのヒンジ部１４、１５（ヒンジ１５（図２参照）は、後述のジョグダイヤル機構２０によって外面が覆われている。）が突設されている。そして、右側のヒンジ部１２、１３と左側のヒンジ部１４、１５とを夫々回動自在に連結することで、右側本体部２と左側本体部３とが開閉自在に結合されている。
【００２２】
この電子書籍１では、右側本体部２と左側本体部３とを結合するときにヒンジ部１２、１３間に形成される円柱状の空きスペースに、円筒状の電池ケース４を取り付け、電子書籍１の省スペース化を図っている。そして、ヒンジ部１５に重複する場所に、片手で頁更新操作を行うことができるジョグダイヤル機構２０が設けられる。
【００２３】
図２は、電子書籍１からジョグダイヤル機構２０を分解した図である。ジョグダイヤル機構２０は、右側本体部２の筐体に一体に突設されたヒンジ部１３に固定される円柱状の固定軸体２１と、固定軸体２１の削成部２１ａに取り付けられた電子基板２２と、固定軸体２１に回動可能に外嵌されるジョグダイヤル２３と、固定軸体２１に外嵌されジョグダイヤル２３の回動位置を常時所定位置に戻す力をジョグダイヤル２３に付与するコイル形状の戻しバネ２４と、ジョグダイヤル機構２０の端部を覆うキャップ部材２５とを備える。電子基板２２には、２方向検出タイプのスイッチ２６が取り付けられている。このスイッチ２６は、本実施形態では、ジョグダイヤル２３が所定位置まで回動されたことを検出したとき検出信号を出力する検出信号出力手段として機能する。
【００２４】
図３（ａ）は、図１のIII―III線断面図であり、ジョグダイヤル２３のうち戻しバネ２４が配置された個所の断面図である。円筒状のジョグダイヤル２３の周壁には、周方向に沿う穴２３ａが穿設されており、また、ジョグダイヤル２３が摺接する右側本体部２の円弧壁２ａにも、円周方向に沿う穴２ｂが穿設されている。穴２３ａ、２ｂのジョグダイヤル２３の中心軸に対する開き角θは同一になっており、穴２３ａの周方向の一方の端壁が穴２ｂの端壁に整列した位置では、穴２３ｂ、２ｂの他方の端壁も整列する様になっている。
【００２５】
固定軸体２１に外嵌されジョグダイヤル２３の内側に収納されたコイル状の戻しバネ２４の両端部２４ａ、２４ｂは、穴２３ａ、２ｂを通して右側本体部２内に突出している。戻しバネ２４の両端部２４ａ、２４ｂは、バネ弾発力によって拡開方向に付勢されており、このバネ弾発力によって、穴２３ａと穴２ｂとは端部２４ａ、２４ｂによって整列位置に規制される。また、両端部２４ａ、２４ｂの先端は、穴２ｂから容易に脱却しないように、穴２ｂの外側方向に屈曲されている。
【００２６】
この状態で、ジョグダイヤル２３を図３（ａ）上で時計方向に回動すると、穴２３ａの端壁に押されたバネ２４の一方の端部２４ｂもバネ弾発力に抗して時計方向に移動する。そして、図３（ｂ）に示す様に、バネ２４の一方の端部２４ｂが、他方の端部２４ａを係止している穴２ｂの他端壁に当接する位置まで来ると、それ以上の回動移動が阻止され、ジョグダイヤル２３は停止する。また、ジョグダイヤル２３に回動力を付与するのを止めてジョグダイヤル２３をフリーにすると、戻しバネ２４のバネ力によって図３（ａ）の状態に戻る。
【００２７】
逆に、ジョグダイヤル２３を図３（ａ）上で反時計方向に回動すると、穴２３ａの端壁に押されたバネ２４の他方の端部２４ａもバネ弾発力に抗して反時計方向に移動する。そして、図３（ｃ）に示す様に、バネ２４の他方の端部２４ａが、一方の端部２４ｂを係止している穴２ｂの端壁に当接する位置まで来ると、それ以上の回動移動が阻止され、ジョグダイヤル２３は停止する。
【００２８】
図４（ａ）は、図１のIV―IV線断面図であり、右側本体部２にヒンジ１３を介して固定された軸体２１に取り付けられているスイッチ２６の位置の断面図である。ジョグダイヤル２３が図３（ａ）に示す位置にあるときの状態を図４（ａ）に示し、図３（ｂ）（ｃ）に対応する位置にあるときの状態を夫々図４（ｂ）（ｃ）に示す。
【００２９】
ジョグダイヤル２３の内壁には凹部２３ｂが穿設されており、この凹部２３ｂ内に、スイッチ２６のスイッチ投入杆２６ａが挿入されている。このスイッチ投入杆２６ａは、常に正立位置となるように図示しないバネ力で規制されている。そして、ジョグダイヤル２３が時計方向に回動され図３（ｂ）に示す限界位置まで来たとき、図４（ｂ）に示す様に、スイッチ投入杆２６ａは凹部２３ｂの周方向一方端壁に押されて傾倒し、頁更新（頁を前に進める更新）指示スイッチ信号が図示しない電子書籍制御部に出力される。
【００３０】
また、ジョグダイヤル２３が反時計方向に回動され図３（ｃ）に示す限界位置まできたとき、図４（ｃ）に示す様に、スイッチ投入杆２６ａは凹部２３ｂの周方向他方端壁に押されて傾倒し、頁更新（頁を前に戻す更新）指示スイッチ信号が図示しない電子書籍制御部に出力される。
【００３１】
図５は、上述した構成のジョグダイヤル機構２０を備えた折畳型電子書籍１を片手で持ち、ページ更新操作を行う状態を示した図である。ユーザは、電子書籍１を開き、中央下部の部分を、右手親指と人差し指の間に挟み持つ。この状態で、親指は丁度ジョグダイヤル２３の上に来ることになる。
【００３２】
そして、頁を先に進める操作が必要になったときは、スベリ止め模様が外周部に刻設されているジョグダイヤル２３を時計方向Ａに回動する。これにより、ジョグダイヤル２３は図３（ｂ）及び図４（ｂ）に示す位置まで回動し、頁更新が行われる。その後、回動する力を少し弱めれば、ジョグダイヤル２３はバネ２４の弾発力によって元に戻り、スイッチ２６のスイッチ投入杆２６ａは正立位置に復帰する。
【００３３】
頁を前に戻す操作が必要になったときは、ジョグダイヤル２３を反時計方向Ｂに回動する。これにより、ジョグダイヤル２３は図３（ｃ）及び図４（ｃ）に示す位置まで回動し、頁更新が行われる。同様に、回動する力を少し弱めれば、ジョグダイヤル２３はバネ２４の弾発力によって元に戻り、スイッチ２６のスイッチ投入杆２６ａは正立位置に復帰する。
【００３４】
何頁も先の頁を見たい場合や、何頁も前の頁に戻りたい場合には、何回も連続して頁更新指示スイッチ信号が出力されるように、ジョグダイヤル２３の回動、復帰、回動、復帰を小刻みに繰り返すことで、目的の頁を迅速に表示させることができる。
【００３５】
以上述べた様に、本実施形態によれば、ジョグダイヤル２３を用いて頁更新を行うことができるので、電子書籍１の片手操作が容易となり、電子書籍１の使い勝手を向上することができる。
【００３６】
尚、上述した実施形態では、折畳型の電子書籍について述べたが、本発明は１枚板タイプの電子書籍にも適用可能である。この場合には、電子書籍を片手で持ったときに親指が当たる筐体箇所に上述したのと同様の構造を持つジョグダイヤルを設ければよい。
【産業上の利用可能性】
【００３７】
本発明は、片手で保持し且つ片手操作によって容易に頁更新操作ができるという効果を奏し、電子書籍に適用すると有用である。
【図面の簡単な説明】
【００３８】
【図１】本発明の一実施形態に係る折畳型の電子書籍を１８０°開いた状態の正面図
【図２】本発明の一実施形態に係る電子書籍のうちジョグダイヤル機構部分を分解した分解図
【図３】本発明の一実施形態に係る電子書籍の要部断面図であり、  （ａ）は図１のIII―III線位置の断面図  （ｂ）はジョグダイヤルを時計方向に回動した限界位置の断面図  （ｃ）はジョグダイヤルを反時計方向に回動した限界位置の断面図
【図４】本発明の一実施形態に係る電子書籍の要部断面図であり、  （ａ）は図１のIV―IV線位置の断面図  （ｂ）はジョグダイヤルを時計方向に回動した限界位置の断面図  （ｃ）はジョグダイヤルを反時計方向に回動した限界位置の断面図
【図５】本発明の一実施形態に係る折畳型電子書籍を片手で持って操作するときの斜視図
【符号の説明】
【００３９】
１  電子書籍
２  右側本体部（固定側）
３  左側本体部（可動側）
４  電池ケース
５、６  記憶型液晶表示装置
２０  ジョグダイヤル機構部
２１  固定軸体
２２  電子基板
２３  ジョグダイヤル
２４  戻しバネ
２５  キャップ
２６  スイッチ
２６ａ  スイッチ投入杆
【図１】
2005242436.tif 000003
【図２】
2005242436.tif 000004
【図３】
2005242436.tif 000005
【図４】
2005242436.tif 000006
【図５】
2005242436.tif 000007